(57)【要約】　　　（修正有）【課題】衝撃及び打撃音が少なく、ボルト孔より反対側に安易に抜け落ちることがなく安全であり、錆び付きによる不具合をも解消すべく簡単に引き抜くことができる。【解決手段】ピン本体１の両端に衝撃吸収材２，２を備える。衝撃吸収材２，２は、ピン本体１の打撃に起因する外的衝撃力を吸収するものである。ピン本体１は、一端側に螺合部３を、他端側に抜止部材４を設ける。螺合部３は、専用レンチの駆動ソケット部内に整合されるものであり、ピン本体１が錆び付いてハンマーだけでは打ち抜けない場合に、引抜レンチにて機械的に引き抜けるように兼備されている。抜止部材４は、例えば、ピン本体１の側面に出没自在に突設される抜止ピンからなり、ハンマーで打たれた際に、その反動でピン本体１が反対側に抜け落ちないように突出しており、ピン本体１を取捨する場合は、同抜止部材４をピン本体１内に押し込み使用する。【選択図】  図２
0003099677.tif 000002
【実用新案登録請求の範囲】
【請求項１】
　ピン本体の少なくとも一端側に外的衝撃力を吸収する衝撃吸収材及び／又は抜止部材を備えたことを特徴とするドリフトピン。
【請求項２】
　ピン本体の一端側に外的衝撃力を吸収する衝撃吸収材を、他端側に螺合部及び／又は抜止部材を備えたことを特徴とするドリフトピン。
【請求項３】
　前記螺合部は、専用レンチの駆動ソケット部内に整合されることを特徴とする請求項２に記載のドリフトピン。
【請求項４】
　前記抜止部材は、ピン本体の側面に出没自在に突設される抜止ピン若しくは同ピン本体に着脱自在に螺合されるナットからなることを特徴とする請求項１又は２に記載のドリフトピン。
【考案の詳細な説明】
【技術分野】
【０００１】
　本考案は、主として建築、橋架等の部材接合部に設けられたボルト孔を整合するために使用されるドリフトピンに関し、更に詳しくは、仮令、ハンマー等で打撃しても、その衝撃及び打撃音が少なく、かつ、ボルト孔より反対側に安易に抜け落ちることがなく安全である他、錆び付いても簡単に引き抜くことができる有用なドリフトピンに関する。
【背景技術】
【０００２】
従来、斯かるドリフトピンは、例えば、建築、橋架等の部材接合部にあって、ボルト施工時、部材同士の孔合せの段階で、部材接合部のボルト孔（加工孔）に先端側のテーパー部を挿入し、ハンマーで基端側の抜止部材を打撃することにより、ボルト孔（加工孔）内に強制的に圧入されている。
【特許文献１】特開２００１−３２３５５８号公報
【考案の開示】
【考案が解決しようとする課題】
【０００３】
しかしながら、上述した従来のドリフトピンにあっては、ハンマー等で打撃された際の衝撃及び打撃音が大きいため、近隣に騒音を発してしまうといった問題があり、また、ハンマーで打たれた際に、その反動でドリフトピンが反対側に抜け落ちてしまうといった問題があり、作業上、大変に危険である。
【０００４】
また、斯かるドリフトピンにあっては、部材接合部のボルト孔（加工孔）内に挿着されたまま、必要期間、放置されることも相俟って、ドリフトピンが部材との錆び付きによって（ハンマーでの打ち返しだけでは）簡単に抜けなくなるといった不具合をも有している。
【０００５】
　本考案はこのような従来の問題点に鑑みてなされたもので、ハンマー等で打撃しても、その衝撃及び打撃音が少なく、かつ、ボルト孔より反対側に安易に抜け落ちることがなく安全であり、また、錆び付きによる不具合をも解消すべく簡単に引き抜くことができる有用なドリフトピンの提供を目的としたものである。
【課題を解決するための手段】
【０００６】
　上述の如き従来の問題点を解決し、所期の目的を達成するため本考案の要旨とする構成は、ピン本体の少なくとも一端側に外的衝撃力を吸収する衝撃吸収材及び／又は抜止部材を備えてなるドリフトピンに存する。
【０００７】
　また、ピン本体の一端側に外的衝撃力を吸収する衝撃吸収材を、他端側に螺合部及び／又は抜止部材を備えても良い。
【０００８】
　更に、前記螺合部は、専用レンチの駆動ソケット部内に整合されるのが良く、前記抜止部材としては、ピン本体の側面に出没自在に突設される抜止ピンや、ピン本体に着脱自在に螺合されるナットが良い。
【考案の効果】
【０００９】
　本考案は上述のように構成され、ピン本体の少なくとも一端側に外的衝撃力を吸収する衝撃吸収材及び／又は抜止部材を備えてなることによって、仮令、ピン本体の頭をハンマー等で打っても、前記衝撃吸収材で衝撃及び打撃音が滅減されるため、防音効果に優れるといった効果を奏すると共に、打ち込み若しくは打ち返し作業の何れの際でも、最後には前記抜止部材が部材接合部面に突き当たるため、反動でピン本体がボルト孔より反対側へ抜け落ちることがないなど、より安全性を高めることができる。
【００１０】
　更に、ピン本体の一端側に外的衝撃力を吸収する衝撃吸収材を、他端側に螺合部及び／又は抜止部材を備えてなることによって、ドリフトピンが部材との錆び付きによって（ハンマーでの打ち返しだけでは）簡単に抜けなくなった場合は、前記螺合部を引抜レンチ用のアタッチメントに取り付けることにより、引抜レンチで機械的に引き抜きすることができるため、ピン抜き作業の効率化が図られ、全体の作業性の効率を高めることができる。
【００１１】
このように本考案のドリフトピンは、仮令、強くハンマー等で打撃されても衝撃及び打撃音が少なく、かつ、ボルト孔から安易に抜け落ちる心配がなく安全であると共に、ドリフトピンが錆び付きによってハンマーでの打ち返しだけでは抜けなくなった場合でも、引抜レンチで機械的に引き抜けるなど、ピン抜き作業の効率化が図られ、また、構成が単純であるため大量生産に適し、価格も低廉なものとして需要者に提供できるなど、本考案を実施することはその実益的価値が甚だ大である。
【考案を実施するための最良の形態】
【００１２】
　ピン本体の少なくとも一端側に外的衝撃力を吸収する衝撃吸収材及び／又は抜止部材を備えることによって、ハンマー等で打撃しても、その衝撃及び打撃音が少なく、かつ、ボルト孔より反対側に安易に抜け落ちることがなく、また、錆び付きによる不具合をも解消すべく簡単に引き抜くことができる。
【実施例１】
【００１３】
　次に、本考案に係るドリフトピンの実施の一例を図面を参照しながら説明する。図中Ａは、本考案に係るドリフトピンであり、このドリフトピンＡは、所定長さのピン本体１と、該ピン本体１の両端に配設された衝撃吸収材２，２とを備えている。
【００１４】
　衝撃吸収材２，２は、ピン本体１の打撃に起因する外的衝撃力を吸収するものであり、材質としては、例えば、銅、鉛等の如く比較的柔軟な金属部材或いはウレタンゴム、バネ等の弾性部材が挙げられる。
【００１５】
　ピン本体１は、先端側に行くに連れて次第に細くなるテーパー面１ａ、１ａが形成されており、図３に示すように、一端側に螺合部３を、他端側に抜止部材４を設けている。
【００１６】
　螺合部３は、専用レンチの駆動ソケット部内に整合されるものであり、ピン本体１が錆び付きによってハンマーでの打ち返しだけでは抜けなくなった場合に、引抜レンチで機械的に引き抜けるように兼備されている。
【００１７】
　抜止部材４は、例えば、ピン本体１の側面に出没自在に突設される抜止ピンからなり、ハンマーで打たれた際に、その反動でピン本体１が反対側に抜け落ちないように突出しており、ピン本体１を取捨する場合は、同抜止部材４をピン本体１内に押し込まれることは云うまでもない。
【００１８】
このように構成される本考案のドリフトピンＡは、ハンマーで打ち付ける際は螺合部３の衝撃吸収材２側を部材接合部の各ボルト孔（図示せず）内に当て入れ、ハンマーで他方側の衝撃吸収材２を打ち付けることにより、ピン本体１のフラット面１ｂが各ボルト孔内に強制的に圧入され、孔同士を同心上に整合せしめるものである。
【００１９】
　その際、ピン本体１の表面に抜止部材４が突設されているため、いくら強打しても、ボルト孔より反対側に抜け落ちることがなく、安心して作業をすることができる他、抜止部材４の遊端側に衝撃吸収材２が突設されているため、衝撃及び打撃音が吸収され、夜間作業でも気にならないくらい防音できるのである。
【００２０】
また、ピン本体１を引き抜く時は、抜止部材４をピン本体１内に押し入れてハンマーで打ち返すものであり、更に、ピン本体１が部材接合部との錆び付きにより、ハンマーでの打ち返しだけでは簡単に抜けなくなった場合は、螺合部３を引抜レンチ用のアタッチメント（図示せず）に取り付け、引抜レンチで機械的に引き抜くことができるので、頗る便利である。
【００２１】
　尚、本考案のドリフトピンＡは、本実施例に限定されることなく、本考案の目的の範囲内で自由に設計変更し得るものであり、本考案はそれらの全てを包摂するものである。
【００２２】
例えば、本実施例では、抜止部材４に抜止ピンを使用しているが、これに限定されることなく、図４及び図６に示すように、ピン本体１に着脱自在に螺合される大径のナット５を使用しても良い。
【００２３】
　また、本実施例では、ピン本体１の先端側に螺合部３を連設しているが、図５及び図６に示すように、螺合部３を介在することなくピン本体１の両端に直接的にテーパー状の衝撃吸収材２，２を突設させても良い。
【図面の簡単な説明】
【００２４】
【図１】本考案に係るドリフトピンを示す平面図である。
【図２】同ドリフトピンの斜視図である。
【図３】同ドリフトピンの縦断面図である。
【図４】同ドリフトピンの他の実施例を示す説明図である。
【図５】同ドリフトピンの他の実施例を示す説明図である。
【図６】同ドリフトピンの他の実施例を示す説明図である。
【符号の説明】
【００２５】
　　Ａ　ドリフトピン
　　１　ピン本体
　１ａ　テーパー面
１ｂ  フラット面
　　２　衝撃吸収材
　　３　螺合部
　　４　抜止部材
５  ナット
【図１】
0003099677.tif 000003
【図２】
0003099677.tif 000004
【図３】
0003099677.tif 000005
【図４】
0003099677.tif 000006
【図５】
0003099677.tif 000007
【図６】
0003099677.tif 000008